(57)【要約】【課題】米選機による穀物選別処理について、米選機構成のコスト増加を抑えつつ、必要な情報を取得可能な米選機の管理システムを提供する【解決手段】米選機の管理システムは、穀物を整粒と非整粒とに選別する選別網(４３)と、前記整粒を計量器(Ｆ)で計量しながら所定量単位で袋詰めする袋詰部(Ｅ)とを備える米選機(Ｃ)による選別情報を統括可能に構成され、前記袋詰め毎に前記計量器(Ｆ)による整粒選別情報を送信する通信部(２)を介してデータ入出力可能な外部端末(１)を設け、この外部端末(１)は、前記非整粒について別途計量による非整粒選別情報を入力操作可能に構成し、この非整粒選別情報とともに、前記整粒選別情報を表示することにより、コスト負担を抑えて漏れのない選別情報表示を可能とするものである。【選択図】図３
2019037966.tif 000002
【特許請求の範囲】
【請求項１】
穀物を整粒と非整粒とに選別する選別網(４３)と、前記整粒を計量器(Ｆ)で計量しながら所定量単位で袋詰めする袋詰部(Ｅ)とを備える米選機(Ｃ)による選別情報を統括する米選機の管理システムにおいて、
前記袋詰め毎に前記計量器(Ｆ)による整粒選別情報を送信する通信部(２)を介してデータ入出力可能な外部端末(１)を設け、この外部端末(１)は、前記非整粒について別途計量による非整粒選別情報を入力操作可能に構成し、この非整粒選別情報とともに、前記整粒選別情報を表示することを特徴とする米選機の管理システム。
【請求項２】
穀物を整粒と非整粒とに選別する選別網(４３)と、前記整粒を計量器(Ｆ)で計量しながら所定量単位で袋詰めする袋詰部(Ｅ)とを備える第一の米選機(Ｃ１)による選別情報と、
前記非整粒を中米と未熟米とに選別する選別網(４３)と、前記中米を計量器(Ｆ)で計量しながら所定量単位で袋詰めする袋詰部(Ｅ)とを備える第二の米選機(Ｃ２)による選別情報とを統括する米選機の管理システムにおいて、
前記袋詰め毎にそれぞれの計量器(Ｆ)による整粒選別情報および中米選別情報を送信する通信部(２ａ)を介してデータ入出力可能な外部端末(１ａ)を設け、この外部端末(１ａ)は、前記未熟米について別途計量による未熟米選別情報を入力操作可能に構成し、この未熟米選別情報とともに、前記整粒選別情報および前記中米選別情報を表示することを特徴とする米選機の管理システム。
【請求項３】
前記選別情報の合計による穀物総量に対する整粒の割合による歩留まり率を算出して前記外部端末(１，1ａ)に表示することを特徴する請求項１又は請求項２に記載の米選機の情報管理システム。
【請求項４】
前記通信部(２、２ａ)は、前記計量器(Ｆ)と接続して計量情報を受けるオフラインコントローラと、このオフラインコントローラによって前記計量値を前記外部端末(１，1ａ)に送信する近距離通信機構とからなることを特徴とする請求項１から請求項３のいずれかに記載の米選機の管理システム。
【請求項５】
前記計量器(Ｆ)の計量情報を表示する計量表示手段(Ｇ)と、この計量表示手段(Ｇ)による表示情報を前記オフラインコントローラに読み込む表示情報入力手段とを設け、前記表示情報に基づく袋交換の検出による検出信号を送信して前記外部端末(１、1ａ)に表示することを特徴とする請求項４記載の米選機の管理システム。
【請求項６】
複数の圃場に及ぶ穀物の選別処理は、前記選別情報に基づき、各圃場について、それぞれの面積比に応じて整粒量を按分し、圃場毎の整粒量又は整粒の袋数に換算して前記外部端末(１、1ａ)に表示することを特徴とする請求項１から請求項５のいずれかに記載の米選機の管理システム。
【発明の詳細な説明】
【技術分野】
【０００１】
本発明は、籾摺選別された玄米を整粒と未熟米等の非整粒とに選別する米選機の管理システムに関する。
【背景技術】
【０００２】
特許文献１には、複数の米選機で玄米を整粒と中米と未熟米に選別する技術が開示されている。
特許文献２には、農業機械である穀物乾燥機と携帯端末とを通信接続して、農業機械の情報を外部端末に表示する技術が開示されている。
【０００３】
上記農業機械を米選機とすることにより、玄米の選別結果である整粒と非整粒それぞれについて携帯端末によって情報管理が可能となる。
【先行技術文献】
【特許文献】
【０００４】
【特許文献１】特許第４０４９９１８号公報
【特許文献２】特開２０１６−１０５０３１号公報
【発明の概要】
【発明が解決しようとする課題】
【０００５】
しかしながら、米選機で選別された穀物の情報を得るためには、整粒の計量装置に加え、非整粒の計量装置、また必要により、中米と未熟米のそれぞれの計量装置が必要となることから、大きなコスト増加の問題が避けられなかった。
【０００６】
本発明の目的は、米選機による穀物選別処理について、米選機構成のコスト増加を回避して必要な情報を低コストで外部端末に表示することができる米選機の管理システムを提供することにある。
【課題を解決するための手段】
【０００７】
請求項１に係る発明は、穀物を整粒と非整粒とに選別する選別網(４３)と、前記整粒を計量器(Ｆ)で計量しながら所定量単位で袋詰めする袋詰部(Ｅ)とを備える米選機(Ｃ)による選別情報を統括する米選機の管理システムにおいて、前記袋詰め毎に前記計量器(Ｆ)による整粒選別情報を送信する通信部(２)を介してデータ入出力可能な外部端末(１)を設け、この外部端末(１)は、前記非整粒について別途計量による非整粒選別情報を入力操作可能に構成し、この非整粒選別情報とともに、前記整粒選別情報を表示することを特徴とする。
【０００８】
請求項２に係る発明は、穀物を整粒と非整粒とに選別する選別網(４３)と、前記整粒を計量器(Ｆ)で計量しながら所定量単位で袋詰めする袋詰部(Ｅ)とを備える第一の米選機(Ｃ１)による選別情報と、前記非整粒を中米と未熟米とに選別する選別網(４３)と、前記中米を計量器(Ｆ)で計量しながら所定量単位で袋詰めする袋詰部(Ｅ)とを備える第二の米選機(Ｃ２)による選別情報とを統括する米選機の管理システムにおいて、前記袋詰め毎にそれぞれの計量器(Ｆ)による整粒選別情報および中米選別情報を送信する通信部(２ａ)を介してデータ入出力可能な外部端末(１ａ)を設け、この外部端末(１ａ)は、前記未熟米について別途計量による未熟米選別情報を入力操作可能に構成し、この未熟米選別情報とともに、前記整粒選別情報および前記中米選別情報を表示することを特徴とする。
【０００９】
請求項３に係る発明は、請求項１又は請求項２に記載の発明において、前記選別情報の合計による穀物総量に対する整粒の割合による歩留まり率を算出して前記外部端末(１，1ａ)に表示することを特徴する。
【００１０】
請求項４に係る発明は、請求項１から請求項３のいずれかに係る発明において、前記通信部(２、２ａ)は、前記計量器(Ｆ)と接続して計量情報を受けるオフラインコントローラと、このオフラインコントローラによって前記計量値を前記外部端末(１，1ａ)に送信する近距離通信機構とからなることを特徴とする。
【００１１】
請求項５に係る発明は、請求項４に係る発明において、前記計量器(Ｆ)の計量情報を表示する計量表示手段(Ｇ)と、この計量表示手段(Ｇ)による表示情報を前記オフラインコントローラに読み込む表示情報入力手段とを設け、前記表示情報に基づく袋交換の検出による検出信号を送信して前記外部端末(１、1ａ)に表示することを特徴とする。
【００１２】
請求項６に係る発明は、請求項１から請求項５のいずれかに係る発明において、複数の圃場に及ぶ穀物の選別処理は、前記選別情報に基づき、各圃場について、それぞれの面積比に応じて整粒量を按分し、圃場毎の整粒量又は整粒の袋数に換算して前記外部端末(１、1ａ)に表示することを特徴とする。
【発明の効果】
【００１３】
請求項１に係る発明は、整粒と非整粒についてそれぞれの選別情報が外部端末(１)に表示されることから、整粒についての正確な情報把握を可能としつつ、整粒に対して商品価値が比較的低く、かつ、少量の非整粒について、計量とデータ入力をオペレータ操作とすることで、非整粒専用の計量器設置によることなく、コスト負担を抑えて漏れのない選別情報表示が可能となる。
【００１４】
請求項２に係る発明は、整粒と中米と未熟米についてそれぞれの選別情報が外部端末(１ａ)に表示されることから、整粒と中米についての正確な情報把握を可能としつつ、商品価値が比較的低く、かつ、少量の未熟米について、計量とデータ入力をオペレータ操作とすることで、未熟米専用の計量器設置によることなく、コスト負担を抑えて漏れのない選別情報表示が可能となる。
【００１５】
請求項３に係る発明は、請求項１又は請求項２に記載の発明の効果に加え、外部端末(１，1ａ)により、今後の参考資料となる歩留まり率を把握することができる。
【００１６】
請求項４に係る発明は、請求項１から請求項３のいずれかに係る発明の効果に加え、通信機能を備えていない米選機について、後付けのオフラインコントローラと近距離通信機構とによって簡易に構成することができる。
【００１７】
請求項５に係る発明は、請求項４に係る発明の効果に加え、袋詰部(Ｅ)の袋交換毎にその検出信号が送信されて外部端末(１)に表示されることから、袋詰めの経過が視覚化され、作業管理が容易となる。
【００１８】
請求項６に係る発明は、請求項１から請求項５のいずれかに係る発明の効果に加え、複数の圃場に及ぶ収穫穀物を穀物乾燥機で乾燥し、当該穀物を米選処理した際に、圃場毎にそれぞれの広さに応じて按分した整粒量又は整粒袋数を表示することにより、圃場毎の概算収穫高を容易に把握することができる。
【図面の簡単な説明】
【００１９】
【図１】穀物選別構成の全体構成展開図
【図２】米選機の正面外観図
【図３】米選システム例１の入出力ブロック図
【図４】米選システム例２の入出力ブロック図
【図５】２台直列米選機による構成例１（ａ）と構成例２（ｂ）
【図６】外部端末の初期画面例(ａ)と設定画面例（ｂ）
【図７】圃場別出来高表示例（ａ）と圃場別出来高補正表示例（ｂ）
【図８】外部端末の各種ボタンの説明
【図９】作業実績の作業日別内訳（ａ）と生産者別内訳（ｂ）
【図１０】作業実績の生産者別年別内訳（ａ）と圃場別年別内訳（ｂ）
【図１１】米選機の外観構成斜視図
【図１２】米選機内部構成の縦断側面図
【図１３】米選機の選別作用説明図
【発明を実施するための形態】
【００２０】
上記技術思想に基づいて具体的に構成された実施の形態について、以下に図面を参照しつつ説明する。
【００２１】
（米選システム全体構成）
米選機による穀物選別構成は、その全体構成展開図を図１に示すように、籾を乾燥排出する穀物乾燥機Ａと、この穀物乾燥機Ａから籾を受けて籾摺り選別する籾摺機Ｂと、その仕上玄米を受けて屑米等を分離し、玄米中の整粒を所定量毎に袋詰めする米選機Ｃとを連係制御可能に構成するとともに、米選機Ｃの選別結果について情報処理するための携帯端末等の外部端末１を設ける。
【００２２】
（米選機）
米選機Ｃは、その正面外観図を図２に示すように、袋詰部Ｅに備える計量器Ｆによって所定量の整粒を計量袋詰めするとともに未熟米等の非整粒を排出貯留し、外部端末１は、米選機Ｃに備える操作パネルＧに表示される計量の経過等の選別情報に基づいて多様な情報処理を行う米選情報の管理システムを構成する。
【００２３】
（管理システム）
上記管理システムは、米選システム例１の入出力ブロック図を図３に示すように、米選機Ｃの操作パネルＧの表示から計量に基づく整粒の選別情報を取り込んで近距離無線送信するオフラインコントローラによる通信部２と、この通信部２から整粒の選別情報を受けるとともに、オペレータ入力よる非整粒の貯留量に基づいて情報処理する外部端末１とによって構成する。
【００２４】
この場合において、米選機Ｃの操作パネルＧに表示される袋詰め整粒量のＬＥＤ表示またはその表示信号を読み込むとともにブルートゥース（登録商標）等の近距離無線通信を通信制御するオフラインコントローラによる通信部２を介して整粒の袋詰め経過を外部端末１に送信し、また、オペレータ操作により、非整粒の計量とデータ入力を行なう。
【００２５】
米選機Ｃについて上記のように通信部２を付加構成することにより、整粒計量値と非整粒計量値とが外部端末１に表示可能となることから、選別された整粒についての漏れのない情報把握を可能としつつ、整粒との対比において商品価値が比較的低く、かつ、少量の非整粒について、計量とデータ入力をオペレータ操作とし、また、既設の米選機の表示部にオフラインコントローラによる近距離通信部２ａを接続するだけで、非整粒の専用計量器の設置によることなく、コスト負担を抑えて選別情報を漏れなく入手することができる。
【００２６】
（選別情報）
整粒の選別情報は、計量器Ｆによる計量値が別途設定の袋詰め目標量に達したときの袋詰めを検出し、選別終了までの袋詰め回数のカウントと袋詰め目標量とによって総整粒量を算出する。
【００２７】
詳細には、米選機Ｃは、その内部構成を後に詳述するように、袋詰めの計量の進行度合いを表示する計量進行表示器を操作パネルＧ等に設けて１袋毎の袋詰めタイミングを知らせるように構成し、この計量進行表示器の信号またはその表示動作に基づいて袋詰め数をカウントすることにより、袋詰め数による選別結果を得ることができる。
【００２８】
例えば、複数個のＬＥＤを並べて計量進行表示器を構成し、袋詰めの計量の進行に応じて点滅ＬＥＤ数を順次増加し、袋詰め目標量に達した時に全数のＬＥＤを点滅制御し、袋の交換によってＬＥＤ表示が０個になったことを判別することにより１袋の袋詰めとしてカウントし、カウントの都度、通信部２を介して外部端末１に送信する。
【００２９】
外部端末１では、選別終了までのカウントを累計することで袋詰め数を得ることができることから、袋詰めの目標量に基づいて袋詰め全量を算出することができる。また、未熟米については、計量とそのデータ入力をオペレータが行うことにより、未熟米を含む全選別結果の管理が可能となる。
【００３０】
また、別のシステム入出力ブロック図を図４に示すように、予め米選機Ｃの制御部Ｈに通信部２ａを組込むことにより、一体化によって安定かつスマートに袋詰め情報を取得することができる。
【００３１】
（複合米選構成）
次に、米選機を２台直列した複合米選構成について説明する。
複合米選構成は、その要部正面図を図５（ａ）に示すように、第一の米選機Ｃ１と第二の米選機Ｃ２をこの順に連結し、籾摺機Ｂから受けた仕上げ玄米から第一の米選機Ｃ１で整粒を選別して袋詰部Ｅで所定量の整粒袋詰めを行い、選別排出された非整粒を搬送機Ｊによって第二の米選機Ｃ２に搬送して袋詰部Ｅ２で所定量毎に中米袋詰めを行う。
【００３２】
袋詰めの整粒量および中米量は、それぞれの袋詰めの都度、外部端末１に送信し、第二の米選機Ｃ２で選別排出された未熟米の貯留量をオペレータが別途計量した上で、この未熟米計量値を外部端末１に入力するように構成することで、外部端末１により、整粒量、中米量、未熟米について、選別情報を漏れなく入手することができる。
【００３３】
また、複合米選構成の要部正面図を図５（ｂ）に示すように、米選機Ｃ１、Ｃ２それぞれにおいて整粒と未熟米の選別と計量袋詰めを行い、それぞれの計量器データを外部端末１に送信することにより、計量作業等のオペレータの介入を要することなく、外部端末１によって選別情報を入手することができる。
【００３４】
（選別情報表示）
外部端末１による選別情報は、横長画面構成を基本とし、そのトップ画面例を図６（ａ）に示すように、選別の全処理結果、すなわち、整粒、中米、未熟米の出来高を袋数で表示し、または単位ボタンの切換え操作により、各袋詰め量を表示する。袋数は小数点以下の切り捨てによる整数表示であり、重量表示は、袋重量を減じて実重量を表示する。未熟米については、オペレータによる入力データに基づいて表示する。
【００３５】
この場合において、整粒の圃場別出来高は、その表示例を図７（ａ）に示すように、事前の設定による穀物の収穫圃場名と圃場別面積データとにより、整粒計量値を面積比で按分して表示する。また、圃場別補正による出来高表示例を図７（ｂ）に示すように、収穫時の圃場別の作柄状況の補正係数の設定により、実体に沿った圃場別出来高の把握が可能となる。
【００３６】
そのほかに、生産者別、圃場別、品種別等の多様な管理情報の切替表示のために、上記トップ画面例の画面上辺部に管理項目ボタン、下辺部にメニューボタンを表示し、メニューと管理項目の選択に応じた情報表示可能に構成する。
【００３７】
また、作業能率は、画面右辺部の「作業開始」ボタンのタッチによって記録される日時から「作業終了」ボタンのタッチによる日時までの経過時間による一連の選別処理について、単位時間当たりの穀物量として外部端末１上に表示することができる。
【００３８】
さらに、生産者氏名、圃場名、品種、乾燥機番号、作業者氏名、計量選別の設定値、袋の重さ、選別網の網目幅等についての事前設定を可能に構成することで、作業日別、生産者別、圃場別等の一覧表形式で各種の選別情報を取得可能とし、合わせて、数年間の記録を生産者別、圃場別に表示可能に構成する。
【００３９】
これら管理情報は、入力および修正を可能に構成し、集計データの修正反映のために、確認ボタンや「戻る」機能を設ける。圃場データ等は前工程からの情報入力を可能とし、また、管理情報のメール送信、定時送信機能等による各種の出力形態を備える。
【００４０】
各管理項目の表示は、管理情報設定の画面例を図６（ｂ）に示すように、画面下辺部の「設定」メニューボタンの選択によって画面の背景色を切替えて注意喚起するとともに、上辺部の管理項目の「▽」ボタンにより項目別の選択操作を案内する。
【００４１】
外部端末１の操作は、ボタン別の機能の一覧表を図８に示すように、外部端末１の画面上のボタン操作によって多様な情報管理を可能とし、例えば、作業実績表示例として、図９（ａ）の作業日別の内訳により、該当日における生産者別に、圃場名、品種、乾燥機番号、仕上がり水分値、作業者名、作業時刻、選別袋数、歩留、網目幅等の情報を得ることができる。
【００４２】
そのほか、図９（ｂ）の生産者別の内訳に加え、図１０（ａ）の生産者別の年別内訳、図１０（ｂ）の圃場別の年別内訳に示すように、多様なパターンの詳細な情報表示を可能とする。
【００４３】
（米選機構成）
次に、上記米選機Ｃについて、その細部構成を説明する。
米選機Ｃは、その正面斜視図を図１１に示すように、シャッタＬを備える排出口の上部に操作パネルＧを配置し、シャッタＬの直下には、袋を載置して重量を測定する計量器Ｆを配置する。
【００４４】
米選機Ｃの片側面部には、未熟米オーバーフロー口Ｍ１、未熟米出口Ｍ２、糠出口Ｍ３を備え、他側面部には、不図示の選別米オーバーフロー口を備え、また、背面側に籾摺玄米を受けるホッパＭ４を備える。
【００４５】
次に、米選部の内部構成は、その縦断側面図を図１２に示すように、縦長円筒状の選別フレーム４１を下部に配設し、この選別フレーム４１には遊動輪体を備える。選別フレーム４１の上側部に縦長の選別筒４２を配設し、この選別筒４２内には同一の縦軸心回りに互いに反対方向へ回転する大径の選別網４３及び小径の回転螺旋４４を配設し、選別フレーム４１に設けた粒選別モータ４６からベルト伝動装置４７を経由して伝動ケース４８内のギヤ伝動装置（図示省略）に動力を伝達し、ギヤ伝動装置の正回転伝動装置（図示省略）を経由して選別網４３を低速正回転駆動し、また、逆回転伝動装置（図示省略）を経由して回転螺旋４４を高速逆回転駆動する。
【００４６】
選別筒４２の下部に投入ホッパＭ４を設け、この投入ホッパＭ４に籾摺機Ｂから仕上げ玄米が投入されると流下して回転螺旋４４の下端部に流入する。次いで、被選別玄米は回転螺旋４４のラセン翼により放射方向に飛散されつつ揚穀され、大きな整粒玄米は網目から漏れずに選別網４３内を上方まで揚穀され、選別筒４２上部の仕上げ玄米室５１に取り出され、回転螺旋４４上部に一体的に取り付けられている掻き出し羽根５２により、選別筒４２の上部に連設している取出ホッパ５３に取り出される。
【００４７】
また、揚穀選別中に小形の屑粒玄米は選別網４３の選別孔から外周側の屑米室５４に放出選別されて下部に集められ、選別網４３と一体的に回転する羽根板５６…で集められ、屑米室５４の下部に設けた屑米取出口Ｍ２から機外に取り出される。
【００４８】
次に、米選機Ｃの選別図を図１３に示すように、選別筒４２は、ホッパＭ４に受けた玄米が回転螺旋４４によって上昇してタンク部下端の排出口シャッタ３ｓから排出され、また、選別網４３から漏れ出た未熟米と糠砕米とが分離されてそれぞれの排出口Ｍ２，Ｍ３から排出される。
また、３０ｋｇ袋等の袋の上端両側縁を袋キャッチによって計量器Ｆに装着することで、袋詰めを開始することができる。
【００４９】
（構成上の要点）
上述の米選機の管理システムの構成上の要点についてまとめると、次のとおりである。
穀物を整粒と非整粒とに選別する選別網４３と、前記整粒を計量器Ｆで計量しながら所定量単位で袋詰めする袋詰部Ｅとを備える米選機Ｃによる選別情報を統括する米選機の管理システムにおいて、袋詰め毎に計量器Ｆによる整粒選別情報を送信する通信部２を介してデータ入出力可能な外部端末１を設け、この外部端末１は、非整粒について別途計量による非整粒選別情報を入力操作可能に構成し、この非整粒選別情報とともに、整粒選別情報を表示することにより、整粒と非整粒についてそれぞれの選別情報が外部端末１に表示されることから、整粒についての正確な情報把握を可能としつつ、整粒に対して商品価値が比較的低く、かつ、少量の非整粒について、計量とデータ入力をオペレータ操作とすることで、非整粒専用の計量器設置によることなく、コスト負担を抑えて漏れのない選別情報表示が可能となる。
【００５０】
穀物を整粒と非整粒とに選別する選別網４３と、整粒を計量器Ｆで計量しながら所定量単位で袋詰めする袋詰部Ｅとを備える第一の米選機Ｃ１による選別情報と、非整粒を中米と未熟米とに選別する選別網４３と、中米を計量器Ｆで計量しながら所定量単位で袋詰めする袋詰部Ｅとを備える第二の米選機Ｃ２による選別情報とを統括する米選機の管理システムにおいて、袋詰め毎にそれぞれの計量器Ｆによる整粒選別情報および中米選別情報を送信する通信部２ａを介してデータ入出力可能な外部端末１ａを設け、この外部端末１ａは、未熟米について別途計量による未熟米選別情報を入力操作可能に構成し、この未熟米選別情報とともに、整粒選別情報および中米選別情報を表示することにより、整粒と中米と未熟米についてそれぞれの選別情報が外部端末１ａに表示されることから、整粒と中米についての正確な情報把握を可能としつつ、商品価値が比較的低く、かつ、少量の未熟米について、計量とデータ入力をオペレータ操作とすることで、未熟米専用の計量器設置によることなく、コスト負担を抑えて漏れのない選別情報表示が可能となる。
【００５１】
選別情報の合計による穀物総量に対する整粒の割合による歩留まり率を算出して外部端末１，1ａに表示することにより、今後の参考資料となる歩留まり率を把握することができる。
【００５２】
通信部２、２ａは、計量器Ｆと接続して計量情報を受けるオフラインコントローラと、このオフラインコントローラによって計量値を外部端末１，1ａに送信する近距離通信機構とからこうせいすることにより、通信機能を備えていない米選機について、後付けのオフラインコントローラと近距離通信機構とによって簡易に構成することができる。
【００５３】
計量器Ｆの計量情報を表示する計量表示手段Ｇと、この計量表示手段Ｇによる表示情報をオフラインコントローラに読み込む表示情報入力手段とを設け、表示情報に基づく袋交換の検出による検出信号を送信して外部端末１、1ａに表示することにより、袋詰部Ｅの袋交換毎にその検出信号が送信されて外部端末１に表示されることから、袋詰めの経過が視覚化され、作業管理が容易となる。
【００５４】
複数の圃場に及ぶ穀物の選別処理は、選別情報に基づき、各圃場について、それぞれの面積比に応じて整粒量を按分し、圃場毎の整粒量又は整粒の袋数に換算して外部端末１、1ａに表示することにより、複数の圃場に及ぶ収穫穀物を穀物乾燥機で乾燥し、当該穀物を米選処理した際に、圃場毎にそれぞれの広さに応じて按分した整粒量又は整粒袋数を表示することにより、圃場毎の概算収穫高を容易に把握することができる。
【符号の説明】
【００５５】
１      外部端末
１ａ    外部端末
２      通信部
２ａ    通信部
４３    選別網
Ｃ      米選機
Ｃ１    第一の米選機
Ｃ２    第二の米選機
Ｅ      袋詰部
Ｆ      計量器
Ｇ      計量表示手段（操作パネル）
【図１】
2019037966.tif 000003
【図２】
2019037966.tif 000004
【図３】
2019037966.tif 000005
【図４】
2019037966.tif 000006
【図５】
2019037966.tif 000007
【図６】
2019037966.tif 000008
【図７】
2019037966.tif 000009
【図８】
2019037966.tif 000010
【図９】
2019037966.tif 000011
【図１０】
2019037966.tif 000012
【図１１】
2019037966.tif 000013
【図１２】
2019037966.tif 000014
【図１３】
2019037966.tif 000015